(57)【特許請求の範囲】
【請求項１】
電気的操作装置と、この電気的操作装置が配設されるべき相手部材に配置されるものであって、前記電気的操作装置を保持するための保持体とが組み合せられた組み合せ物であり、
前記電気的操作装置の表面には、押し操作されるスイッチが前記電気的操作装置の前記表面から突出した状態で設けられているとともに、前記保持体の表面には、この表面から突出した状態で突起部が設けられ、この突起部の突出量は前記スイッチの突出量よりも大きくなっており、前記電気的操作装置の前記表面と前記保持体の前記表面とが対面し、前記スイッチと前記突起部とが干渉せずに、この突起部の先端が前記電気的操作装置の前記表面に当接して前記電気的操作装置と前記保持体とが組み合せられていることを特徴とする電気的操作装置と保持体の組み合せ物。
【請求項２】
請求項１に記載の電気的操作装置と保持体の組み合せ物において、前記電気的操作装置の正面視の形状及び大きさは、前記保持体の正面視の形状及び大きさと同じ又は略同じになっており、前記電気的操作装置と前記保持体との組み合せは、前記電気的操作装置の外縁部と前記保持体の外縁部とを一致又は略一致して行われていることを特徴とする電気的操作装置と保持体の組み合せ物。
【請求項３】
請求項２に記載の電気的操作装置と保持体の組み合せ物において、前記スイッチは、前記電気的操作装置の前記表面の中央部又は略中央部に設けられ、前記突起部は、前記保持体の前記表面の複数個の隅部又は隅部に近い箇所に設けられていることを特徴とする電気的操作装置と保持体の組み合せ物。
【請求項４】
請求項３に記載の電気的操作装置と保持体の組み合せ物において、前記スイッチが設けられている電気的操作装置の前記表面の箇所は、この表面における左右方向における中央部又は略中央部であり、複数個の前記スイッチが上下方向に並設されていることを特徴とする電気的操作装置と保持体の組み合せ物。
【請求項５】
請求項１〜４のいずれかに記載の電気的操作装置と保持体の組み合せ物において、前記突起部は、前記電気的操作装置の裏面に設けられている被係止部に係止することにより、前記電気的操作装置を前記保持体に係脱可能に保持させるための係止部であることを特徴とする電気的操作装置と保持体の組み合せ物。
【請求項６】
請求項１〜５のいずれかに記載の電気的操作装置と保持体の組み合せ物において、前記スイッチは、押し操作されることにより前記電気的操作装置の内部に収納されている電気的音発生手段からの音を前記電気的操作装置の外部に放出させるものとなっていることを特徴とする電気的操作装置と保持体の組み合せ物。
【請求項７】
請求項１〜６のいずれかに記載の電気的操作装置と保持体の組み合せ物において、前記電気的操作装置と前記保持体は、これらの電気的操作装置と保持体が設置される施工現場に搬送されているときに組み合せられていることを特徴とする電気的操作装置と保持体の組み合せ物。
【請求項８】
請求項１〜７のいずれかに記載の電気的操作装置と保持体の組み合せ物において、前記電気的操作装置の内部には、前記スイッチが押し操作されることにより電力が消費される電池が収納されていることを特徴とする電気的操作装置と保持体の組み合せ物。
【発明の詳細な説明】
【技術分野】
【０００１】
本発明は、電気的操作装置と、この電気的操作装置を保持するために、電気的操作装置が配設されるべき壁等の相手部材に配置される保持体とが組み合せられた組み合せ物に係り、例えば、窓用シャッター装置や車庫用シャッター装置等を電気的に操作するための電気的操作装置と保持体とを、これらが設置される施工現場に搬送する際に利用できるものである。
【背景技術】
【０００２】
電動式の窓用シャッター装置や車庫用シャッター装置は、下記の特許文献１に示されているように、例えば、電気的操作装置が操作されることによりシャッターカーテンの開閉移動や停止の作動制御が行われるようになっており、そして、この電気的操作装置は、壁等の相手部材に配設されている。
【０００３】
また、下記の特許文献２には、配線ボックスを壁に止着し、この配線ボックスに電気的操作装置を保持させることが示されており、これによると、電気的操作装置と、この電気的操作装置が配設される壁との間に、電気的操作装置を保持するための保持体となっている配線ボックスが配置され、この配線ボックスを介して電気的操作装置が壁に取り付けられていることになる。
【先行技術文献】
【特許文献】
【０００４】
【特許文献１】特開２０１３−１７０４４１号公報
【特許文献２】特開２００６−６０８８８号公報
【発明の概要】
【発明が解決しようとする課題】
【０００５】
電気的操作装置と保持体は、工場から、これらの電気的操作装置と保持体が設置される施工現場へ搬送され、この施工現場において、上記相手部材に保持体を配置した後に、この保持体に電気的操作装置を保持させるための作業が行われるが、工場から施工現場に搬送する際には、搬送コストの削減等のため、電気的操作装置と保持体を、ほかの搬送物と共に同じ箱に梱包して搬送することなどが行われ、このため、電気的操作装置と保持体をコンパクトにまとめて組み合せ可能とすることが求められる。
【０００６】
また、このように電気的操作装置と保持体をコンパクトにまとめて組み合せ可能とする際には、電気的操作装置に押し操作されるスイッチが設けられていて、このスイッチが電気的操作装置の表面から突出した状態となっている場合には、電気的操作装置と保持体の組み合せを、電気的操作装置のスイッチが保持体からの影響を受けることなく行えるようにすることも求められる。
【０００７】
本発明の目的は、電気的操作装置と、この電気的操作装置を保持するために、電気的操作装置が配設されるべき相手部材に配置される保持体とを、電気的操作装置のスイッチが保持体からの影響を受けることなく、コンパクトにまとめて組み合せることができるようになる電気的操作装置と保持体の組み合せ物を提供するところにある。
【課題を解決するための手段】
【０００８】
本発明に係る電気的操作装置と保持体の組み合せ物は、電気的操作装置と、この電気的操作装置が配設されるべき相手部材に配置されるものであって、前記電気的操作装置を保持するための保持体とが組み合せられた組み合せ物であり、前記電気的操作装置の表面には、押し操作されるスイッチが前記電気的操作装置の前記表面から突出した状態で設けられているとともに、前記保持体の表面には、この表面から突出した状態で突起部が設けられ、この突起部の突出量は前記スイッチの突出量よりも大きくなっており、前記電気的操作装置の前記表面と前記保持体の前記表面とが対面し、前記スイッチと前記突起部とが干渉せずに、この突起部の先端が前記電気的操作装置の前記表面に当接して前記電気的操作装置と前記保持体とが組み合せられていることを特徴とするものである。
【０００９】
本発明に係る電気的操作装置と保持体の組み合せ物では、押し操作されるスイッチが突出した状態で設けられている電気的操作装置の表面と、突起部が突出している保持体の表面とが対面しており、そして、スイッチと突起部とが干渉せずに、この突起部の先端が電気的操作装置の表面に当接しており、突起部の突出量はスイッチの突出量よりも大きくなっているため、電気的操作装置と保持体を組み合せても、電気的操作装置のスイッチが保持体により押されることはなく、このため、電気的操作装置と保持体とを、電気的操作装置のスイッチが保持体からの影響を受けることなく、コンパクトにまとめて組み合せることができるようになる。
【００１０】
以上の本発明において、電気的操作装置と保持体のそれぞれの形状は、任意のものでよく、そして、本発明は、このような電気的操作装置と保持体を任意の位置関係にして組み合せることができ、その一例は、電気的操作装置の正面視の形状及び大きさが、保持体の正面視の形状及び大きさと同じ又は略同じになっている場合には、電気的操作装置と保持体との組み合せを、電気的操作装置の外縁部と保持体の外縁部とを一致又は略一致させて行うことである。
【００１１】
これによると、それぞれの正面視の形状及び大きさが同じ又は略同じになっている電気的操作装置と保持体とを、一層コンパクトにしてまとめて組み合せることができるようになる。
【００１２】
また、このように電気的操作装置の正面視の形状及び大きさが、保持体の正面視の形状及び大きさと同じ又は略同じになっていて、電気的操作装置と保持体との組み合せを、電気的操作装置の外縁部と保持体の外縁部とを一致又は略一致させて行う場合には、電気的操作装置の表面に設けられているスイッチと、保持体の表面に設けられている突起部は、これらの表面において、互いに干渉しない箇所であれば、任意の箇所に設けられていてよく、その一例は、スイッチが、電気的操作装置の表面の中央部又は略中央部に設けられ、突起部が、保持体の表面の複数個の隅部又は隅部に近い箇所に設けられていることである。
【００１３】
さらに、このようにスイッチが、電気的操作装置の表面の中央部又は略中央部に設けられている場合における中央部又は略中央部とは、電気的操作装置の表面の左右方向における中央部又は略中央部でもよく、あるいは、電気的操作装置の表面の上下方向における中央部又は略中央部でもよく、あるいは、電気的操作装置の表面の左右方向及び上下方向における中央部又は略中央部でもよい。そして、スイッチの個数は１個でもよく、複数個でもよく、スイッチが、電気的操作装置の表面の左右方向における中央部又は略中央部に設けられている場合には、複数個のスイッチが上下方向に並設されていてもよい。
【００１４】
以上の本発明において、保持体の表面に突出した状態で設けられる前記突起部は任意の用途のためのものでよく、その一例の突起部は、電気的操作装置の裏面に設けられている被係止部に係止することにより、電気的操作装置を保持体に係脱可能に保持させるための係止部であり、ほかの例の突起部は、保持体を前記相手部材に配置するために用いる紐状部材等を保持体に連結するための連結部である。
【００１５】
また、本発明に係る電気的操作装置と保持体の組み合せ物は、電気的操作装置と、この電気的操作装置が配設されるべき相手部材に配置されるものであって、前記電気的操作装置を保持するための保持体とが組み合せられた組み合せ物であり、前記電気的操作装置の表面には、押し操作されるスイッチが記電気的操作装置の前記表面から突出した状態で設けられ、前記保持体は、ベース体と、このベース体に対して開閉自在となっている蓋体とを有し、前記電気的操作装置は、前記ベース体に対して前記蓋体が閉じられたときの前記保持体の内部に収納されており、この収納が、前記スイッチが前記蓋体側に向いて行われていて、前記スイッチと前記蓋体との間に間隔があけられて前記電気的操作装置と前記保持体とが組み合せられていることを特徴とするものである。
【００１６】
この電気的操作装置と保持体の組み合せ物では、保持体が、ベース体と、このベース体に対して開閉自在となっている蓋体とを有するものとなっており、電気的操作装置が、ベース体に対して蓋体が閉じられたときの保持体の内部に収納されることにより、これらの電気的操作装置と保持体とが組み合せられるため、この組み合せをコンパクトに行え、また、この電気的操作装置を保持体の内部に収納することは、スイッチが蓋体側に向いて行われ、そして、スイッチと蓋体との間に間隔があけられているため、電気的操作装置と保持体とを、電気的操作装置のスイッチが保持体の蓋体からの影響を受けることなく、コンパクトにまとめて組み合せることができるようになる。
【００１７】
また、このように電気的操作装置と保持体とを組み合せる場合であって、電気的操作装置が、保持体に、電気的操作装置の裏面とベース体の表面とのうち、一方に設けられた被係止部に対して他方に設けられた係止部が係止可能となっている係脱手段により係脱可能に保持されるものとなっている場合には、係脱手段によるこの保持が行われて電気的操作装置と保持体とを組み合せてもよい。
【００１８】
これによると、電気的操作装置を、ベース体に対して蓋体が閉じられたときの保持体の内部に収納することを、係脱手段により電気的操作装置を保持体のベース体に保持させて行うことができるため、電気的操作装置と保持体との組み合せを、これらの電気的操作装置と保持体との位置関係にずれが生ずることを抑制して行えることになる。
【００１９】
また、本発明において、電気的操作装置の表面に設けられるスイッチは、例えば、この電気的操作装置からの信号により作動する機械や装置にこのような信号を送信するために押し操作されるものであるが、スイッチは、このスイッチが押し操作されることにより、電気的操作装置の内部に収納されている電気的音発生手段からの音を電気的操作装置の外部に放出させる機能を有しているものとなっていてもよい。
【００２０】
このように電気的操作装置の表面に設けられるスイッチが押し操作されると、電気的操作装置の内部に収納されている電気的音発生手段からの音が電気的操作装置の外部に放出されるようになっていても、電気的操作装置と保持体とを組み合せた際に、前述したように、電気的操作装置のスイッチが保持体からの影響を受けることはないため、言い換えると、スイッチは保持体によって押されることはないため、この電気的操作装置と保持体を組み合せたときに、電気的音発生手段の電源となっている電池が電気的操作装置の内部に収納されていても、電気的音発生手段から音が発生することをなくすことができる。
【００２１】
以上説明した本発明において、電気的操作装置と保持体を組み合せることは、すなわち、本発明に係る電気的操作装置と保持体の組み合せ物を生産することは、必要に応じて任意のときに行うことができ、その一例は、電気的操作装置と保持体を、これらの電気的操作装置と保持体が設置される施工現場に搬送するときであり、また、ほかの例は、電気的操作装置と保持体を、例えば、工場等において、保管するときである。
【００２２】
また、本発明において、電気的操作装置と保持体とが組み合せられたときに、電気的操作装置の内部に、スイッチが押し操作されることにより電力が消費される電池が収納されていてもよく、収納されていなくてもよい。収納されている場合には、電気的操作装置と保持体とを組み合せても、電気的操作装置のスイッチは保持体の突起部によって押されることはないため、電池の電力が消費されることはない。
【００２３】
なお、本発明に係る電気的操作装置は、任意の電気機器が用いられて構成された装置や機械を電気的に操作するためのものでよく、これらの装置や機械の一例は、電動式の窓用シャッター装置や車庫用シャッター装置であり、これ以外の装置や機械を電気的に操作するための電気的操作装置についても、本発明は適用することができる。
【発明の効果】
【００２４】
本発明によると、電気的操作装置と、この電気的操作装置を保持するために、電気的操作装置が配設されるべき相手部材に配置される保持体とを、電気的操作装置のスイッチが保持体からの影響を受けることなく、コンパクトにまとめて組み合せることができるようになるという効果を得られる。
【図面の簡単な説明】
【００２５】
【図１】図１は、本発明の一実施形態に係る電気的操作装置が適用されている電動式の窓用シャッター装置の全体を示す正面図である。
【図２】図２は、保持体で保持されている無線式の電気的操作装置の斜視図であって、保持体を二点鎖線で示した図である。
【図３】図３は、図２の電気的操作装置の正面図であり、電気的操作装置と保持体とを結合するための結合手段を隠すための蓋部材であって、上下にスライドさせて開閉される蓋部材を取り外した状態を示す図である。
【図４】図４は、電気的操作装置の裏面図である。
【図５】図５は、厚板状に形成されている保持体の斜視図である。
【図６】図６は、図５の保持体の正面図である。
【図７】図７は、図５の保持体の裏面図である。
【図８】図８は、電気的操作装置を保持する保持体に対して電気的操作装置を係脱可能とするための係脱手段を示す斜視図であって、（Ａ）は、保持体に設けられた係止部を示し、（Ｂ）は、電気的操作装置に設けられた被係止部を示す。
【図９】図９は、保持体を相手部材である住宅の室内の壁に、止着具であるビスと取付部材であるボックス状部材とにより取り付けたときを示す縦断面図である。
【図１０】図１０は、図９のボックス状部材が、既設の有線式の電気的操作装置を住宅の室内の壁に取り付けるために用いられていたものであることを示す図９と同様の図である。
【図１１】図１１は、保持体を相手部材である住宅の室内の壁に、止着具であるビスと取付部材である挟着部材とにより取り付けたときを示す図９と同様の図である。
【図１２】図１２は、図１１の挟着部材を示す図であって、（Ａ）は正面図であり、（Ｂ）は側面図である。
【図１３】図１３は、保持体を、図１１及び図１２の挟着部材とは別の挟着部材により住宅の室内の壁に取り付けたときを示す図９と同様の図である。
【図１４】図１４は、図１３の挟着部材を示す図であって、（Ａ）は正面図であり、（Ｂ）は側面図である。
【図１５】図１５は、保持体を、図１１〜図１４の挟着部材とは別の挟着部材により住宅の室内の壁に取り付けたときを示す図９と同様の図である。
【図１６】図１６は、図１５の挟着部材を示す図であって、（Ａ）は正面図であり、（Ｂ）は側面図である。
【図１７】図１７は、保持体を相手部材である住宅の室内の壁に、止着具であって挿入部材となっているピンにより止着したときを示す正面図である。
【図１８】図１８は、図１７のＳ１８−Ｓ１８線断面図である。
【図１９】図１９は、無線式の電気的操作装置と保持体を施工現場等へ搬送するときに、表裏を逆とした無線式の電気的操作装置と保持体を組み合せて重ね合せることを示す図である。
【図２０】図２０は、無線式の電気的操作装置と保持体を図１９のように組み合せて重ね合せたときにおける電気的操作装置のスイッチと、保持体に突起部として形成されている係合部との位置関係を示す正面図である。
【図２１】図２１は、蓋体付きの保持体の実施形態を示す斜視図である。
【図２２】図２２は、図２１の保持体に電気的操作装置を保持させたときを示す正面図である。
【図２３】図２３は、図２１及び図２２の保持体を、相手部材である車庫の壁に取り付けたときを示す縦断面図である。
【発明を実施するための形態】
【００２６】
以下に本発明を実施するための形態を図面に基づいて説明する。本実施形態に係る電気的操作装置は、図１で示す電動式の窓用シャッター装置を電気的に操作するためのものであり、はじめにこの窓用シャッター装置について説明する。窓用シャッター装置は、住宅の窓１の左右の枠部材に配設されたガイドレール２に左右両端部が上下にスライド自在に挿入されたシャッターカーテン３を有し、このシャッターカーテン３の上端は、窓１の上部に配置されたシャッターケース４の内部に水平に収納されている巻取軸５に連結され、この巻取軸５は左右のブラケット６で回転自在に支持されている。一方のブラケット６には、巻取軸５を駆動させる駆動装置となっている開閉機７が取り付けられ、電動モータとブレーキの組み合せからなるこの開閉機７と巻取軸５は、チェーン等の駆動力伝達手段で連結されており、開閉機７の電動モータの正逆回転により、シャッターカーテン３は、巻取軸５の巻き取りによる開き移動と、巻取軸５からの繰り出しによる閉じ移動とを左右のガイドレール２で案内されながら行い、また、電動モータがブレーキにより停止すると、シャッターカーテン３の移動が停止する。
【００２７】
このような開閉機７の作動は、この開閉機７の電動モータとブレーキを制御装置８が電気的に制御することにより行われ、シャッターケース４の内部に配置されている制御装置８は、住宅の室内の壁に取り付けられている無線式の電気的操作装置１０から送信される無線信号を受信し、この無線信号に基づいて開閉機７を制御する。
【００２８】
図２には、電気的操作装置１０の斜視図が示されている。電気基板や電池等の電気機器が内部に収納されている電気的操作装置１０のケースは、それぞれ合成樹脂製である前側ケース片１０Ａと後側ケース片１０Ｂとをビス止めにより、ゴム材等の弾性材によって防滴性（防水性）、防塵性を備えさせて前後に合体させることにより形成されており、電気的操作装置１０の正面図を示している図３のとおり、前側ケース片１０Ａには、シャッターカーテン３を開き移動させるときに押し操作される「開」スイッチ１１と、シャッターカーテン３の開閉移動を停止させるときに押し操作される「停」スイッチ１２と、シャッターカーテン３を閉じ移動させるときに押し操作される「閉」スイッチ１３とを突出状態で露出させるための開口部又は窪み部が形成されており、最上部の「開」スイッチ１１よりもさらに上側には小開口部１４が形成されている。この小開口１４からは上記ケースの内部に収納されているランプが露出し、このランプは、シーソー式スイッチとなっているスイッチ１１〜１３が押し操作されたときに電気的操作装置１０から制御装置８へ無線信号が送信されたことを点灯により示すためのものである。
【００２９】
本実施形態では、３個のスイッチ１１〜１３は、電気的操作装置１０の表面の左右方向の中央部又は略中央部において、上下方向に並設されている。
【００３０】
図４は、電気的操作装置１０の裏面を示している。前側ケース片１０Ａと後側ケース片１０Ｂを合体させるためのビス１５が示されているこの図４のとおり、後側ケース片１０Ｂには、上記ケースの内部に電池を収納したり電池交換を行うために開閉される回転式蓋部材１６が設けられているとともに、電気的操作装置１０についての仕様を表示するための製品ラベル１７が貼付されており、回転式蓋部材１６は、ゴム材等の弾性材によって防滴性、防塵性を備えて後側ケース片１０Ｂに配置されている。さらに、後側ケース片１０Ｂには、上記ケースの内部に収納されている電気的音発生手段からの音を外部に放出させるための小開口部１８と、登録スイッチを外部に露出させるための小開口部１９とが形成されており、本実施形態では、これらの小開口部１８，１９は製品ラベル１７で隠される箇所に設けられているため、製品ラベル１７にも、これらの小開口部１８，１９と対応する箇所において、小開口部が設けられている。
【００３１】
なお、電気的操作装置１０の内部に収納されている上記電気的音発生手段は、電気的操作装置１０の表面に、この表面から突出状態で設けられているそれぞれのスイッチ１１〜１３が押し操作されたときに、前記電池を電源としてブザー音を鳴動させるものであり、このブザー音の鳴動回数により、これらのスイッチ１１〜１３を区別することが可能となっている。この電気的音発生手段は、これに限らず、例えば、スイッチ１１〜１３の区別を擬人化された音声によって報知するものでもよい。
【００３２】
また、上記登録スイッチは、電気的操作装置１０から送信される無線信号を制御装置８が受信できるように、電気的操作装置１０と制御装置８との間でペアリングするためのものである。
【００３３】
本実施形態では、上述のように、小開口部１８，１９は製品ラベル１７で隠される箇所に設けられているが、製品ラベル１７を小開口部１８，１９から外れた箇所に貼付してもよく、あるいは、製品ラベル１７からはずれた箇所に小開口部１８，１９及び電気的音発生手段、登録スイッチを配置してもよい。
【００３４】
図２には、電気的操作装置１０を保持する保持体３０が二点鎖線で示されている。後述するように、電気的操作装置１０は、厚板状となっている保持体３０に対して係脱手段により係脱可能、すなわち、保持体３０に対して係止、離脱可能であって、保持体３０に対して取り付け、取り外し可能であり、また、保持体３０は、電気的操作装置１０が配設されるべき相手部材となっている前記住宅の室内の壁に止着されるものである。そして、正面視が四角形又は略四角形となっている厚板状の保持体３０の上下寸法及び左右寸法は、正面視が四角形又は略四角形となっている電気的操作装置１０の上下寸法及び左右寸法と同じ又は略同じになっている。
【００３５】
このため、電気的操作装置１０の正面視の形状及び大きさは、保持体３０の正面視の形状及び大きさと同じ又は略同じになっている。
【００３６】
図３に示されているように、電気的操作装置１０には、この電気的操作装置１０を保持体３０に結合することにより、上記係脱手段によって保持体３０に保持された電気的操作装置１０を保持体３０から取り外すことができないようにするための結合手段２０が設けられている。この結合手段２０は、電気的操作装置１０の前側ケース片１０Ａと後側ケース片１０Ｂに形成された貫通孔２１（図４も参照）に軸部が挿通されるビス２２であり、電気的操作装置１０を保持体３０に結合するための結合具ともなっているこのビス２２の頭部２２Ａを隠すための合成樹脂製の蓋部材２３が、前側ケース片１０Ａに設けられた凹部２４に着脱可能に、具体的には、上下にスライド可能に配置されている。図３は、この蓋部材２３を下側へスライドさせて前側ケース片１０Ａから取り外し、凹部２４を開放したときを示しており、この凹部２４の底部において、貫通孔２１は、前述した３個のスイッチ１１〜１３のうち、最下部の「閉」スイッチ１３の下側に設けられている。
【００３７】
なお、蓋部材２３には、上下に弾性変形可能となった舌片２３Ａが設けられ、凹部２４を開放していた蓋部材２３を前側ケース片１０Ａに対して上側へスライドさせることにより、舌片２３Ａの突条部２３Ｂが、前側ケース片１０Ａに形成されている凹条部２３Ｃに舌片２３Ａの弾性変形で係合することにより、蓋部材２３は、下側へスライド不能状態となって凹部２４の上面に被せられることになる。また、蓋部材２３に下側への押し下げ力を作用させると、舌片２３Ａの弾性変形により、舌片２３Ａの突条部２３Ｂは凹条部２３Ｃから脱出して蓋部材２３が押し下げられ、凹部２４の上面が開放される。
【００３８】
このため、本実施形態によると、舌片２３Ａの弾性変形により突条部２３Ｂが凹条部２３Ｃに係合することにより、蓋部材２３は、電気的操作装置１０のケースから容易に脱落しないことになり、また、舌片２３Ａの弾性変形により突条部２３Ｂを凹条部２３Ｃから脱出させることにより、蓋部材２３を電気的操作装置１０のケースから容易に取り外すことができ、これらを、蓋部材２３を上下にスライドさせるという簡単な操作によって行うことができる。
【００３９】
図５は、保持体３０の斜視図であり、図６は、保持体３０の正面図であり、図７は、保持体３０の裏面図である。これらの図に示されているように、合成樹脂製の保持体３０の下部には、上述のビス２２の軸部を螺入させるためのナット３１が埋設されており、このナット３１に、電気的操作装置１０の前側ケース片１０Ａと後側ケース片１０Ｂに形成されている貫通孔２１に挿通させたビス２２の軸部の先端部を螺入させることにより、電気的操作装置１０は保持体３０に結合される。また、図２で示した蓋部材２３を電気的操作装置１０の前側ケース片１０Ａの凹部２４に被せることにより、ビス２２の頭部２２Ａは蓋部材２３により隠されることになる。
【００４０】
電気的操作装置１０の後側ケース片１０Ｂの裏面を示している図４のとおり、合成樹脂製の後側ケース片１０Ｂの一部には、例えば、薄肉化により打ち抜くことが可能となった打ち抜き可能部２５が設けられている。本実施形態に係る電気的操作装置１０は、図１で示した制御装置８に無線信号を送信するリモコン式のものであるが、この電気的操作装置１０を有線式の電気的操作装置とする場合には、打ち抜き可能部２５を打ち抜くことにより後側ケース片１０Ｂに開口部を形成し、この開口部に電気配線用コネクタを挿入できるようになっている。
【００４１】
電気的操作装置１０は、前述したように、保持体３０に対して係脱手段により係脱可能であるため、保持体３０に対して取り付け、取り外し可能となっており、図４〜図７には、この係脱手段３２が示されている。係脱手段３２は、図５〜図７で示す保持体３０の表面に設けられた係止部３３と、図４で示す電気的操作装置１０の後側ケース片１０Ｂの裏面に設けられ、係止部３３が挿入係止される被係止部３４とからなり、これらの係止部３３と被係止部３４は、左右上下に４個３３Ａ〜３３Ｄ，３４Ａ〜３４Ｄ設けられている。係止部３３Ａ〜３３Ｄは、保持体３０の表面から突出した突起部であり、被係止部３４Ａ〜３４Ｄは、後側ケース片１０Ｂの裏面に設けられた孔部又は窪み部（穴部）である。
【００４２】
図８の（Ａ）は、保持体３０の表面に突起部として形成されている係止部３３の斜視図である。それぞれの係止部３３は、保持体３０を貫通して形成された四角形の開口部３５に沿って上下方向の短寸法の長さを有する縦壁部３６と、水平方向の短寸法の長さを有する横壁部３７と、これらの縦壁部３６及び横壁部３７の突出先端部同士を覆う四角形状の覆い部３８とからなる。４個の係止部３３Ａ〜３３Ｄのうち、全部の係止部３３Ａ〜３３Ｄについて、横壁部３７は、それぞれの開口部３５の下辺に沿って設けられ、縦壁部３６は、図６から分かるように、左右方向に２個ずつとなっている係止部３３Ａ，３３Ｂと係止部３３Ｃ，３３Ｄについて、それぞれの開口部３５の互いに近い側の縦辺に沿って設けられている。
【００４３】
このような４個の係止部３３Ａ〜３３Ｄは、図５及び図６に示されているように、正面視が四角形又は略四角形となっている保持体３０の表面の４個の隅部又は隅部に近い箇所に設けられている。
【００４４】
図８の（Ｂ）は、電気的操作装置１０の後側ケース片１０Ｂに形成されている被係止部３４の斜視図である。それぞれの被係止部３４は、係止部３３の覆い部３８を挿入できる大きさとなっている四角形の主部３９と、この主部３９の上辺の左右方向の端部から上方へ延びる副部４０とからなる。この副部４０は、図４から分かるように、４個の被係止部３４Ａ〜３４Ｄのうち、左右方向に２個ずつとなっている被係止部３４Ａ，３４Ｂと被係止部３４Ｃ，３４Ｄについて、主部３９の上辺の互いに近い側の端部から上方へ延びている。
【００４５】
電気的操作装置１０を保持体３０に保持させるときには、電気的操作装置１０の後側ケース片１０Ｂの裏面と保持体３０の表面とを対面させ、それぞれの係止部３３の覆い部３８をそれぞれの被係止部３４の主部３９の内部に挿入し、次いで、電気的操作装置１０を保持体３０に対して下げることにより、係止部３３の縦壁部３６を被係止部３４の副部４０に挿入する。これにより、それぞれの係止部３３は、覆い部３８によりそれぞれの被係止部３４に対して係止することになり、電気的操作装置１０は、係止部３３と被係止部３４による係脱手段３２により保持体３０に保持される。
【００４６】
また、電気的操作装置１０を保持体３０に対して上げると、係止部３３の縦壁部３６は被係止部３４の副部４０から脱出して主部３９に達するため、係止部３３は被係止部３４から離脱して、係止部３３の被係止部３４に対する係止が解除され、これにより、係脱手段３２で保持体３０に保持されていた電気的操作装置１０を保持体３０から取り外すことができる。
【００４７】
以上のように本実施形態に係る係脱手段３２は、電気的操作装置１０を保持体３０に対して下げることによって係止部３３が被係止部３４に係止するとともに、電気的操作装置１０を保持体３０に対して上げることによって係止部３３が被係止部３４から離脱するものになっているため、係止部３３の被係止部３４に対する係止状態を、電気的操作装置１０自体の重量が保持体３０に作用することによって維持させることができ、これにより、電気的操作装置１０が保持体３０にビス２２で結合されていないときでも、電気的操作装置１０が保持体３０から落下等することはない。
【００４８】
また、上述のように電気的操作装置１０が係脱手段３２により保持体３０に保持されているときに、図３のビス２２による結合手段２０により電気的操作装置１０を保持体３０に結合すると、電気的操作装置１０を保持体３０から取り外すことができなくなる。また、図３のビス２２の頭部２２Ａが露出している電気的操作装置１０の前側ケース片１０Ａの凹部２４に蓋部材２３を被せると、頭部２２Ａが蓋部材２３で隠されることになり、ビス２２の取り外しが不能となるため、係脱手段３２により保持体３０に保持されている電気的操作装置１０を保持体３０から取り外すことを抑制できるようになる。
【００４９】
なお、図４で説明したように、電気的操作装置１０の後側ケース片１０Ｂには、前述の電気的音発生手段からの音を外部に放出させるための小開口部１８が形成されており、図５〜図７に示されているように、保持体３０には、この小開口部１８の位置と一致する位置において、孔４１が形成されており、このため、電気的音発生手段から発生した音は、この孔４１に達するようになっている。本実施形態の孔４１は、厚板状の保持体３０を貫通した貫通孔となっており、このため、電気的音発生手段から発生した音は、この貫通孔を通過して保持体３０の外部へ放出される。
【００５０】
このように電気的音発生手段から発生した音を保持体３０の外部へ放出させることができるようにするために、孔４１と共に、あるいは孔４１の代わりに、小開口部１８の位置と一致する保持体３０の位置から保持体３０の外縁部まで達する溝部を、保持体３０の表面に形成してもよい。
【００５１】
以上の保持体３０は、図１で説明した住宅の室内の壁に電気的操作装置１０を配設するために用いられ、このため、この壁は、電気的操作装置１０が保持体３０を介して配設されるべき相手部材となっている。そして、本実施形態では、電気的操作装置１０を保持するための部材となっている保持体３０を住宅の室内の壁に止着することは、複数種類の止着具のうちのいずれの種類の止着具によっても行えるようになっており、このため、図５〜図７に示されているように、保持体３０には、複数種類の止着具に対し適用可能となっている複数種類の止着具適用箇所５０，５１が設けられている。上記複数種類の止着具の一つは、ビスである（図９，図１１，図１３，図１５を参照）ため、複数種類の止着具適用箇所５０，５１のうち、一つの止着具適用箇所５０は、このビスの軸部が挿通される貫通孔６０であり、他の止着具は、ピンである（図１７及び図１８を参照）ため、他の止着具適用箇所５１は、このピンの軸部が挿通される貫通孔６１である。
【００５２】
本実施形態において、ビスの軸部のための貫通孔６０は保持体３０の上下部に複数個、具体的には、２個６０Ａ，６０Ｂ形成されており、これらの貫通孔６０Ａ，６０Ｂのうち、下側の貫通孔６０Ｂは、横方向に長い長孔となっているため、ビスにより保持体３０を上述の壁に止着することは、保持体３０及びこの保持体３０に保持された電気的操作装置１０の上下方向を正確に鉛直方向と一致させて行えるようになっている。
【００５３】
また、ピンの軸部のための貫通孔６１は、保持体３０の左右両側にそれぞれ複数個、具体的には、左側に４個６１Ａ、右側に４個６１Ｂ設けられ、合計８個のこれらの貫通孔６１Ａ，６１Ｂは保持体３０の表裏面に対して直角に形成されておらず、図６から分かるように、左側の貫通孔６１Ａは、保持体３０の表面から裏面へ延びるにしたがい、保持体３０の左側へ延びており、また、右側の貫通孔６１Ｂは、保持体３０の表面から裏面へ延びるにしたがい、保持体３０の右側へ延びている。このため、左右の貫通孔６１Ａ，６１Ｂは、非平行の貫通孔となって保持体３０に形成されている（図１８も参照）。
【００５４】
さらに、図５〜図７に示されているように、保持体３０には、後述するように、この保持体３０を住宅の室内の壁に取り付けるための取付部材となっている挟着部材を係合するための係合部７０が設けられている。この係合部７０は、左右２個で一対をなす四角形の係合孔部７１により形成されているものであり、それぞれの係合孔部７１は、保持体３０の表裏を貫通した貫通孔７１Ａと、この貫通孔７１Ａの一部を、保持体３０の厚さよりも小さい厚さを有する塞ぎ部７１Ｂにより塞いだものである。このような左右２個で一対をなす係合孔部７１による係合部７０は、保持体３０の上下に２個設けられている。そして、上側の２個の係合孔部７１の塞ぎ部７１Ｂは、それぞれ四角形となっている左右２個の貫通孔７１Ａの互いに近い側の下角部に設けられ、下側の２個の係合孔部７１の塞ぎ部７１Ｂは、それぞれ四角形となっている左右２個の貫通孔７１Ａの互いに近い側の上角部に設けられている。
【００５５】
また、図５〜図７に示されているように、保持体３０の略中央部には、この保持体３０の表裏を貫通した大きな四角形の大開口部７２が設けられている。そして、保持体３０の表面には、この大開口部７２と、前述した止着具適用箇所５０，５１のうちの止着具適用箇所５０と、係合部７０とを含む範囲において、深さが浅い凹部７３が形成されている。本実施形態では、図５に示されているように、この凹部７３の大きさ及び深さと対応する大きさ及び厚さを有しているシート７４が予め用意されており、このシート７４は、例えば、両面粘着テープにより凹部７３に貼付され、これにより、大開口部７２等を塞ぐことができるようになっている。
【００５６】
なお、シート７４により大開口部７２を塞ぐと、前述した孔４１も塞がれるため、シート７４には、この孔４１と一致する箇所に貫通孔７５が設けられている。
【００５７】
図９は、保持体３０を前述した住宅の室内の壁７７に取り付けたときを示す縦断面図である。石膏ボード等によるこの壁７７には貫通した開口部７７Ａが形成されており、この開口部７７Ａに、壁７７の前面７７Ｂに当接するフランジ部７８Ａを有するボックス状部材７８が挿入されている。ボックス状部材７８の外面部には、ビス７９と、このビス７９の軸部が螺入された押圧部材８０とが配置されており、複数設けられているそれぞれのビス７９を工具で回転させると、ビス７９ごとに設けられているそれぞれの押圧部材８０がビス７９の送り作用で移動して壁７７の裏面７７Ｃに当接、押圧するため、フランジ部７８Ａと押圧部材８０との挟着作用により、ボックス状部材７８が壁７７に取り付けられる。
【００５８】
このようにして壁７７に取り付けられるボックス状部材７８には、このボックス状部材７８の内壁面から内部に突出している複数個の突出部７８Ｂが設けられており、これらの突出部７８Ｂにナット８１が埋設されている。保持体３０を壁７７に取り付けるときには、保持体３０の裏面をボックス状部材７８のフランジ部７８Ａに当接させ、保持体３０に複数種類の止着具に対し適用可能となって設けられている複数種類の止着具適用箇所５０，５１のうち、止着具適用箇所５０となっている前述の貫通孔６０にビス８２の軸部を挿入し、これらのビス８２をボックス状部材７８のナット８１に螺入挿通する。これにより、保持体３０は、ビス８２によりボックス状部材７８に取り付けられるとともに、このボックス状部材７８を介して壁７７に取り付けられることになる。
【００５９】
なお、保持体３０の上下寸法及び左右寸法は、壁７７の開口部７７Ａの上下寸法及び左右寸法よりも大きくなっている。
【００６０】
次いで、保持体３０の表面に設けられている深さの浅い凹部７３に図５のシート７４を、例えば、両面粘着シートによって貼付することにより、保持体３０に設けられている大開口部７２とビス８２の頭部とをシート７４により覆い、この後に、保持体３０に電気的操作装置１０を係脱手段３２により、前述したように係脱可能に保持させる。次に、図３で示した結合手段２０であって、保持体３０に電気的操作装置１０を結合するための結合具となっているビス２２により、電気的操作装置１０を保持体３０に結合して、電気的操作装置１０を保持体３０から取り外し不能とし、電気的操作装置１０の前側ケース片１０Ａの凹部２４に蓋部材２３を被せることにより、ビス２２の頭部２２Ａを蓋部材２３で隠す。これにより、例えば、前記住宅の居住者以外の者が、電気的操作装置１０を保持体３０から取り外してしまうことを防止できる。
【００６１】
図９には、ビス２２と、このビス２２の頭部２２Ａを隠している蓋部材２３とが二点鎖線により示されている。
【００６２】
また、電気的操作装置１０は、保持体３０に結合手段２０となっているビス２２により取り外し不能に取り付けられているため、電気的操作装置１０が保持体３０から落下して破損等することを防止できる。
【００６３】
以上により、電気的操作装置１０は、壁７７に保持体３０及びボックス状部材７８を介して配設されたことになり、この電気的操作装置１０に設けられている前述したスイッチ１１〜１３を操作すると、図１で示した窓用シャッター装置のシャッターカーテン３は、それぞれのスイッチ１１〜１３に基づき開き移動や閉じ移動、移動停止を行う。
【００６４】
以上のことから分かるように、本実施形態では、電気的操作装置１０と保持体３０とのうち、一方に設けられた被係止部３４と他方に設けられた係止部３３とにより、電気的操作装置１０を保持体３０に係脱可能に保持させるための係脱手段３２が構成されており、ビス２２により電気的操作装置１０が保持体３０に結合されていないときに、保持体３０に対する電気的操作装置１０の取り付け、取り外しを係脱手段３２によって簡単に行えるため、保持体３０から電気的操作装置１０を取り外すことにより、電気的操作装置１０を任意の場所に持ち運んで操作することができ、また、係脱手段３２により電気的操作装置１０が保持体３０に保持されているときに、電気的操作装置１０をビス２２で保持体３０に結合することにより、電気的操作装置１０が保持体３０から落下する等の事態が生ずることを防止できることなる。
【００６５】
また、電気的操作装置１０が保持体３０を介して住宅の室内の壁７７に配置されている通常時においては、ビス２２の頭部２２Ａを蓋部材２３により隠すことができるため、例えば、電気的操作装置１０を操作すべき者以外の者が、ビス２２を取り外すことにより、このビス２２による電気的操作装置１０の保持体３０に対する結合を解除して電気的操作装置１０を保持体３０から取り外してしまうことを防止できる。また、蓋部材２３は電気的操作装置１０から取り外し可能となっているため、電気的操作装置１０を操作すべき者が蓋部材２３の取り外しを行うことにより、電気的操作装置１０を保持体３０に結合していたビス２２をこれらの電気的操作装置１０と保持体３０から抜き取ってこの結合を解除することができるため、電気的操作装置１０を任意の場所に持ち運び、この電気的操作装置１０を任意の場所で操作することができるようになる。
【００６６】
また、本実施形態の保持体３０は、電気的操作装置１０と住宅の室内の壁７７との間に配置されるものとなっており、そして、ビス２２は、電気的操作装置１０に挿入されて保持体３０まで達する結合具となっており、このビス２２の頭部２２Ａを隠すための蓋部材２３は、電気的操作装置１０における壁７７側とは反対側に表面に配置されているため、この蓋部材２３の取り外し及び取り付けを、保持体３０に影響されることなく容易に行える。
【００６７】
さらに、本実施形態では、保持体３０の大開口部７２はシート７４により塞がれることになるため、住宅の外部の風が、住宅の室内の壁７７と外壁との間の隙間と、大開口部７２とを通って室内に流入することを防止することができる。
【００６８】
また、図５で示すシート７４には前述の貫通孔７５が設けられているため、電気的操作装置１０の裏面に設けられている図４の小開口部１８から放出される前述の電気的音発生手段の音を、シート７４の貫通孔７５及び保持体３０の図５〜図７の孔４１を介して住宅の室内の壁７７と外壁との間の隙間に放出させることができ、これにより、電気的操作装置１０を操作した者にこの音を確認させることができる。
【００６９】
さらに、本実施形態では、前述したように電気的操作装置１０を有線式の電気的操作装置とする場合には、図４で示した打ち抜き可能部２５の打ち抜きにより後側ケース片１０Ｂに開口部を形成し、この開口部に電気配線用コネクタを挿入することが行われ、このように打ち抜き可能部２５の打ち抜きで後側ケース片１０Ｂに電気配線用コネクタ用の開口部を形成するときには、保持体３０にシート７４を貼付せず、これにより、開口状態となっている保持体３０の大開口部７２にコネクタ及びこのコネクタから延びる電気配線を挿入配置するようにする。
【００７０】
なお、図９で示したボックス状部材７８は、図１０に示されているように、既設の有線式の電気的操作装置２１０を壁７７に配設するために用いられていたものである。すなわち、本実施形態のボックス状部材７８は、有線式の電気的操作装置２１０を壁７７に配設するために、予めフランジ部７８Ａと押圧部材８０との挟着作用により壁７７に取り付けられていたものであり、このボックス状部材７８のナット８１にビス８２が螺入挿通されることにより、有線式の電気的操作装置２１０がこのビス８２によりこのボックス状部材７８に取り付けられていた。ボックス状部材７８には、有線式の電気的操作装置２１０から延びる電気配線２１１を挿通させるための開口部７８Ｃが形成されている。
【００７１】
以上の説明から分かるように、本実施形態では、頭部が電気的操作装置２１０の表面に露出しているビス８２を抜き取り、これにより、既設の電気的操作装置２１０をボックス状部材７８から取り外した後に、壁７７に残されているこのボックス状部材７８に、図９の保持体３０をビス８２によって取り付ける作業を行うようにしており、この保持体３０に無線式の電気的操作装置１０を、有線式の電気的操作装置２１０からの改修装置として係脱手段３２により保持させるようにしている。
【００７２】
そして、保持体３０に複数種類の止着具に対し適用可能となって設けられている複数種類の止着具適用箇所５０，５１のうち、止着具適用箇所５０となっている貫通孔６０は、上述のビス８２の軸部を挿通させるためのものとなっているため、保持体３０に上下２個設けられている貫通孔６０Ａ，６０Ｂの上下間隔は、ボックス状部材７８に上下２個設けられているナット８１の上下間隔と同じに設定されている。
【００７３】
次に、ボックス状部材７８によらずに保持体３０を、この保持体３０が配設されるべき相手部材に、すなわち、住宅の室内の壁７７に取り付ける場合について説明する。
【００７４】
図１１は、壁７７を保持体３０と板金製の挟着部材９０とで挟着することにより、保持体３０を壁７７に取り付ける場合を示しており、図１２は、この挟着部材９０を示し、（Ａ）は正面図であり、（Ｂ）は側面図である。エンボス加工による補強部９１が形成されている挟着部材９０は、図１２の（Ａ）に示されているように、上下の横辺部９０Ａ，９０Ｂと、これらの横辺部９０Ａ，９０Ｂの一方の端部同士を繋ぐ縦辺部９０Ｃとからなるコ字形状となっており、横辺部９０Ａ，９０Ｂの他方の端部には、バーリング加工とねじ刻設加工により雌ねじ孔９２が形成されており、挟着部材９０に上下２個設けられている雌ねじ孔９２の上下間隔は、保持体３０に上下２個設けられている貫通孔６０Ａ，６０Ｂの上下間隔と同じに設定されている。
【００７５】
挟着部材９０により保持体３０を壁７７に取り付けるためには、作業者は、はじめに、挟着部材９０を壁７７の開口部７７Ａに通すことによって壁７７の裏面７７Ｃ側に挟着部材９０を配置するとともに、上下２個の貫通孔６０Ａ，６０Ｂにビス９３の軸部を挿通させた保持体３０を壁７７の前面７７Ｂ側に配置し、この保持体３０の大開口部７２と壁７７の開口部７７Ａとに通した手により挟着部材９０を押えながら、作業者は、工具により２本のビス９３を回転させ、これらのビス９３の軸部の先端を挟着部材９０の雌ねじ孔９２に螺入する。これにより、保持体３０は、この保持体３０と挟着部材９０とが壁７７を挟着することにより、壁７７に取り付けられることになる。
【００７６】
なお、挟着部材９０には、この挟着部材９０が保持体３０と共に壁７７を挟着したときに、壁７７の内部に侵入する爪部９４が形成されており、このため、挟着部材９０の位置が上下方向や左右方向にずれることが防止されるようになっている。
【００７７】
図１３も、保持体３０と板金製の挟着部材１００とで壁７７を挟着することにより、保持体３０を壁７７に取り付ける場合を示しており、図１４は、この挟着部材１００を示し、（Ａ）は正面図であり、（Ｂ）は側面図である。エンボス加工による補強部１０１が形成されている挟着部材９０は、図１４の（Ａ）に示されているように、上下の横辺部１００Ａ，１００Ｂと、これらの横辺部１００Ａ，１００Ｂの両方の端部同士を繋ぐ左右の縦辺部１００Ｃ，１００Ｄとからなる四角形状（ロ字形状）となっており、横辺部１００Ａ，１００Ｂの中央部には、バーリング加工とねじ刻設加工により雌ねじ孔１０２が形成されており、挟着部材１００に上下２個設けられている雌ねじ孔１０２の上下間隔は、保持体３０に上下２個設けられている貫通孔６０Ａ，６０Ｂの上下間隔と同じに設定されている。また、それぞれの横辺部１００Ａ，１００Ｂには、直角に屈曲した突片１０３が左右２個ずつ形成されており、横辺部１００Ａと横辺部１００Ｂに上下に対向して設けられている２個の突片１０３の上下間隔は、壁７７の開口部７７Ａの上下寸法と同じに設定されている。
【００７８】
挟着部材１００により保持体３０を壁７７に取り付けるためには、作業者は、はじめに、挟着部材１００を壁７７の開口部７７Ａに通すことによって壁７７の裏面７７Ｃ側に挟着部材１００を配置して、この挟着部材１００の突片１０３を開口部７７Ａの上下内面に当接させるとともに、上下２個の貫通孔６０Ａ，６０Ｂにビス９３の軸部を挿通させた保持体３０を壁７７の前面７７Ｂ側に配置し、この保持体３０の大開口部７２と壁７７の開口部７７Ａとに通した手により挟着部材１００を押えながら、作業者は、工具により２本のビス９３を回転させ、これらのビス９３の軸部の先端を挟着部材１００の雌ねじ孔１０２に螺入する。これにより、保持体３０は、この保持体３０と挟着部材１００とが壁７７を挟着することにより、壁７７に取り付けられることになる。
【００７９】
図１５は、図１１と図１２の挟着部材９０及び図１３と図１４の挟着部材１００とは形状が異なっている板金製の２個の挟着部材１１０により、保持体３０を壁７７に取り付ける場合を示しており、図１６は、エンボス加工による補強部１１１が形成されているこの挟着部材１１０を示し、（Ａ）は正面図であり、（Ｂ）は側面図である。挟着部材１１０は、図１６の（Ｂ）に示されているように、湾曲した湾曲部１１０Ａと、図１６の（Ａ）に示されているように、この湾曲部１１０Ａから延びているフック部１１０Ｃ付きアーム部１１０Ｂとからなり、このフック部１１０Ｃ付きアーム部１１０Ｂは一対設けられている。そして、湾曲部１１０Ａにおけるアーム部１１０Ｂの基部が接続されている箇所には、バーリング加工とねじ刻設加工により雌ねじ孔１１２が形成されている。図１５に示されているように、このような形状を有する挟着部材１１０が上下２個用いられて、保持体３０は壁７７に取り付けられる。
【００８０】
上下２個の挟着部材１１０により保持体３０を壁７７に取り付けるためには、作業者は、はじめに、挟着部材１１０を壁７７の開口部７７Ａに通すことによって壁７７の裏面７７Ｃ側に挟着部材１１０を配置して、図１５に示されているように、この挟着部材１１０の湾曲部１１０Ａの先端部を壁７７の裏面７７Ｃに当接させるとともに、アーム部１１０Ｂのフック部１１０Ｃを、壁７７の前面７７Ｂ側に配置した保持体３０に左右２個で一対となって設けられている図５〜図７の係合孔部７１の貫通孔７１Ａに挿入し、それぞれのアーム部１１０Ｂのフック部１１０Ｃを、貫通孔７１Ａに形成されている塞ぎ部７１Ｂに係合する。この作業を上下２個の挟着部材１１０について行い、これにより、これらの挟着部材１１０における湾曲部１１０Ａとは反対側の端部は、保持体３０に２個で一対となっている係合孔部７１で形成されている前述の係合部７０に係合される。
【００８１】
そして、作業者は、保持体３０の大開口部７２と壁７７の開口部７７Ａとに通した手により挟着部材１１０を押えながら、工具により、保持体３０の上下２個の貫通孔６０Ａ，６０Ｂに軸部を挿通させた２本のビス１１３を回転させ、ビス１１３の軸部の先端を挟着部材１１０の雌ねじ孔１１２に螺入し、この作業を上下２個の挟着部材１１０について行う。これにより、保持体３０は、この保持体３０と２個の挟着部材１１０とが壁７７を挟着することにより、壁７７に取り付けられることになる。
【００８２】
以上の図１１及び図１２と、図１３及び図１４と、図１５及び図１６のいずれの場合においても、保持体３０と挟着部材９０，１００，１１０とで壁７７を挟着することにより、保持体３０を壁７７に取り付けた後には、図９で説明したように、保持体３０の表面に設けられている凹部７３に図５のシート７４を、例えば、両面粘着シートにより貼付し、これにより、保持体３０に設けられている大開口部７２とビス９３，１１３の頭部とをシート７４により覆い、この後に、保持体３０に電気的操作装置１０を係脱手段３２により保持させる。
【００８３】
なお、図１１、図１３及び図１５で示されている壁７７の開口部７７Ａは、図９及び図１０で示したボックス状部材７８が挿入配置されていた開口部でもよく、石膏ボード等で形成されている壁７７に新たに設けられた開口部でもよい。
【００８４】
すなわち、図１１〜図１６で示した挟着部材９０，１００，１１０は、図１０で説明した既設の有線式の電気的操作装置２１０とボックス状部材７８とを壁７７から取り外し、この壁７７に、この電気的操作装置２１０から改修された装置としての無線式の電気的操作装置２１０を配設する場合に用いてもよく、あるいは、例えば、新築住宅の室内の壁７７に開口部７７Ａを形成し、このような開口部７７Ａが新たに設けられた壁７７に無線式の電気的操作装置１０を配設する場合に用いてもよい。
【００８５】
また、図１１〜図１６において、前述したように電気的操作装置１０を有線式の電気的操作装置とし、図４で示した打ち抜き可能部２５の打ち抜きにより後側ケース片１０Ｂに開口部を形成し、この開口部に電気配線用コネクタを挿入することを行う場合には、保持体３０にシート７４を貼付せず、これにより、開口状態となっている保持体３０の大開口部７２にコネクタ及びこのコネクタから延びる電気配線を挿入配置するようにする。
【００８６】
以上の説明から分かるように、図９のビス８２、図１１及び図１３のビス９３、図１５のビス１１３は、保持体３０を壁７７に止着するために用いられる止着具となっており、また、保持体３０に設けられていて、ビス８３，９３，１１３が挿通される貫通孔６０となっている止着具適用箇所５０は、ビス適用箇所となっている。
【００８７】
そして、それぞれ形状が異なっている図１１〜図１６の挟着部材９０，１００，１１０は、止着具であるビス９３，１１３が挿通されるものとなっており、この挿通を行うことにより、挟着部材９０，１００，１１０は保持体３０と共に壁７７を挟着して、保持体３０を壁７７に取り付けるため、これらの挟着部材９０，１００，１１０は、保持体３０を壁７７に取り付けるための取付部材となっている。
【００８８】
また、それぞれの挟着部材９０，１００，１１０と形状が異なっている図９のボックス状部材７８は、前述のフランジ部７８Ａと押圧部材８０との挟着作用により壁７７に固定されるものとなっており、このボックス状部材７８のナット８１にも、止着具であるビス８３が挿通され、この挿通を行うことにより、保持体３０は壁７７に取り付けられるため、このボックス状部材７８も、ビス８３がナット８１に挿通されることにより、保持体３０を壁７７に取り付けるための取付部材となっている。
【００８９】
図１７と、図１７のＳ１８−Ｓ１８線断面図である図１８は、保持体３０を壁７７に止着するために用いられる止着具を、電気的操作装置１０が配設される相手部材である壁７７の内部に挿入される挿入部材とした場合を示しており、この挿入部材は、ピン１２０である。図１７には、このピン１２０により、保持体３０を壁７７に止着したときの正面図が示されている。
【００９０】
図６で説明したように、保持体３０には、複数種類の止着具に対し適用可能となっている複数種類の止着具適用箇所５０，５１が設けられており、これらの一つの止着具適用箇所５０は、上述したようにビス８２，９３，１１３の軸部が挿通される貫通孔６０であり、他の止着具適用箇所５１は、図１７及び図１８で示したピン１２０の軸部が挿通案内される挿入部材案内部となっている貫通孔６１である。この貫通孔６１は、保持体３０の左右に複数個ずつ、具体的には、４個ずつあり、それぞれの貫通孔６１にピン１２０の軸部が挿入され、この軸部が壁７７の内部に達することにより、保持体３０は壁７７にピン１２０により止着される。
【００９１】
前述したように、保持体３０の左右に４ずつ設けられる貫通孔６１のうち、左側の貫通孔６１Ａは、保持体３０の表面から裏面へ延びるにしたがい、保持体３０の左側へ延びており、また、右側の貫通孔６１Ｂは、保持体３０の表面から裏面へ延びるにしたがい、保持体３０の右側へ延びている。このため、それぞれの貫通孔６１Ａ，６１Ｂにピン１２０の軸部を挿入すると、図１８に示されているように、左右のピン１２０の軸部は、挿入部材であるピン１２０の軸部を案内するための挿入部材案内部となっている貫通孔６１Ａ，６１Ｂの案内作用により、壁７７の内部において、保持体３０から離れるにしたがい、次第に左右方向の間隔が拡大する非平行の状態となる。
【００９２】
このため、これらのピン１２０の軸部は、相手部材である壁７７からの容易に抜け出ないようになり、これにより、保持体３０を一層確実に壁７７に止着できることになる。
【００９３】
なお、複数本のピン１２０により保持体３０を壁７７に止着することは、これらのピン１２０を本実施形態のように左右方向について非平行とすることや、上下方向について非平行とすること、さらには、左右方向や上下方向の斜めの方向について非平行とすることにより行うようにしてもよい。
【００９４】
また、ピン１２０を用いて保持体３０を壁７７に止着することは、この壁７７に図９等で示した開口部７７Ａが形成されている場合と、形成されていない場合との両方について行うことができ、また、開口部７７Ａが形成されている場合においては、この開口部７７Ａに図９で示したボックス状部材７８が挿入固定されている場合と、挿入固定されていない場合との両方について行うことができる。
【００９５】
すなわち、ピン１２０の軸部を案内するための挿入部材案内部となっている貫通孔６１は、図５〜図７に示されているように、四角形の厚板状となっている保持体３０の左右両側の外縁部の近くの箇所に形成されており、これらの箇所は、壁７７に形成されている開口部７７Ａやボックス状部材７８のフランジ部７８Ａから外れた箇所となっているため、上述のように、ピン１２０を用いて保持体３０を壁７７に止着することは、壁７７に開口部７７Ａが形成されている場合と、形成されていない場合との両方について行うことができ、また、開口部７７Ａが形成されている場合においては、開口部７７Ａにボックス状部材７８が挿入固定されている場合と、挿入固定されていない場合との両方について行うことができる。
【００９６】
以上説明した本実施形態によると、電気的操作装置１０を保持する保持体３０は、この保持体３０を壁７７に止着するために用いられる複数種類の止着具、すなわち、ビス８２，９３，１１３とピン１２０に対し適用可能となっている複数種類の止着具適用箇所５０，５１を備えており、これらの止着具適用箇所５０，５１のうち、複数種類の止着具から選択された止着具と対応する止着具適用箇所に、この選択された止着具を適用することにより、保持体３０を壁７７に止着可能となっているため、保持体３０を壁７７に止着する際に、止着具と止着具適用箇所とを選択することにより、壁７７の状態に対応させて適正に保持体３０を止着できるようになる。
【００９７】
また、保持体３０に電気的操作装置１０を保持させると、止着具であるビス８２，９３，１１３やピン１２０は電気的操作装置１０により隠されるため、これらのビス８２，９３，１１３やピン１２０が取り外されることや自然と抜けることを防止できる。
【００９８】
なお、このような止着具は電気的操作装置１０により隠されないものとしてもよく、少なくとも２本の止着具を電気的操作装置１０により隠されないものとする場合には、これらの止着具を図１８のピン１２０のように非平行とすることにより、同時に抜き取ることを困難にすることができる。
【００９９】
図１９及び図２０は、無線式の電気的操作装置１０と保持体３０とを、工場等から窓用シャッター装置の施工現場等に搬送するときを示している。このときには、図１９に示されているように、電気的操作装置１０の表裏を逆とし、電気的操作装置１０の表面に設けられている前述のスイッチ１１〜１３を保持体３０の表面側に向けて、電気的操作装置１０と保持体３０とを対面接触させ、これにより、電気的操作装置１０と保持体３０を、それぞれの厚さ方向に重ね合せる。
【０１００】
前述したように、正面視が四角形又は略四角形となっている厚板状の保持体３０の上下寸法及び左右寸法は、正面視が四角形又は略四角形となっている電気的操作装置１０の上下寸法及び左右寸法と同じ又は略同じになっているため、電気的操作装置１０の正面視の形状及び大きさは、保持体３０の正面視の形状及び大きさと同じ又は略同じになっている。そして、電気的操作装置１０のスイッチ１１〜１３は、電気的操作装置１０の表面の左右方向の中央部又は略中央部において、上下方向に並設されているのに対し、保持体３０の表面に突起部として４個形成されている前述の係止部３３は、保持体３０の表面の４個の隅部又は隅部に近い箇所に設けられている。また、これらの係止部３３についての保持体３０の表面からの突出量は、図１９から分かるように、スイッチ１１〜１３についての電気的操作装置１０の表面からの突出量よりも大きくなっている。
【０１０１】
このため、上述のように電気的操作装置１０の表面に設けられているスイッチ１１〜１３を保持体３０の表面側に向けて、電気的操作装置１０と保持体３０とを対面接触させるときに、電気的操作装置１０の外縁部と保持体３０の外縁部とを一致又は略一致させると、それぞれの係止部３３をスイッチ１１〜１３と干渉させることなく、これらの係止部３３の先端を電気的操作装置１０の表面に当接させることができ、この状態で電気的操作装置１０と保持体３０を、例えば、紐やテープ等で縛ることにより、電気的操作装置１０と保持体３０をコンパクトにまとめて組み合せて、互いに重ね合せることができる。
【０１０２】
したがって、電気的操作装置１０と保持体３０を、例えば、図１で示した窓用シャッター装置の構成部品と共に同じ箱に梱包して、工場等から窓用シャッター装置の施工現場等であって、電気的操作装置１０と保持体３０が設置される施工現場等まで搬送する際に、この箱に多くの部品を収納することができ、このため、搬送コストを削減できる。
【０１０３】
また、上述のように電気的操作装置１０と保持体３０をコンパクトにまとめて組み合せることは、スイッチ１１〜１３が係止部３３によって押されることなく、言い換えると、スイッチ１１〜１３が、係止部３３が表面に突起部として設けられている保持体３０からの影響を受けることなく、行えることになるため、上記の搬送時に、電気的操作装置１０の内部に前述した電気的音発生手段の電源となっている電池が収納されていても、電気的音発生手段からブザー音等の音が発生することをなくすことができる。
【０１０４】
そして、電気的操作装置１０と保持体３０とが組み合せられたときに、電気的操作装置１０のスイッチ１１〜１３が、上述のように保持体３０の突起部となっている係止部３３によって押されないことにより、電気的操作装置１０の内部に収納されている電池の電力が消費されることを防ぐことができるとともに、この電池を収納した電気的操作装置１０を工場から出荷する際に、電池の接点に紙等の絶縁材を介入させておくことが不要になり、また、施工現場において電池を収納する作業を行う必要もなくなり、さらに、例えば、スイッチ１１〜１３のための戻しばねが電気的操作装置１０に配置した場合には、この戻しばねが劣化することも防止することができる。
【０１０５】
さらに、スイッチ１１〜１３は、保持体３０側に向いていて、外側に向いていないため、これらのスイッチ１１から１３が、外力等によって誤って押されてしまうこともなくすことができる。
【０１０６】
なお、以上説明した本実施形態では、前述したように電気的操作装置１０の正面視の形状及び大きさは、保持体３０の正面視の形状及び大きさと同じ又は略同じになっており、そして、電気的操作装置１０と保持体３０とを組み合せることは、電気的操作装置１０の外縁部と保持体の外縁部３０とを一致又は略一致して行われているため、電気的操作装置１０のスイッチ１１〜１３の全体は、保持体３０により覆われることになるが、例えば、保持体の正面視の大きさを電気的操作装置１０の正面視の形状より小さくした場合には、この保持体により、スイッチ１１〜１３の一部だけが保持体３０により覆われるようになっていてもよい。
【０１０７】
以上説明した実施形態に係る保持体３０は、この保持体３０に電気的操作装置１０が係脱手段３２により保持されているときに、前述の結合手段となっているビス２２を隠すための蓋部材２３と、電気的操作装置１０のスイッチ１１〜１３とを覆うためのものを備えておらず、電気的操作装置１０全体を外部に露出させてこの電気的操作装置１０を保持するものであったが、図２１〜図２３は、電気的操作装置１０を保持する保持体１３０が、開閉される蓋体１３０Ｂ付きのものとなっている実施形態を示しており、保持体１３０に電気的操作装置１０が係脱手段３２で保持されているときに、蓋体１３０Ｂにより、ビス２２を隠すための蓋部材２３と、電気的操作装置１０のスイッチ１１〜１３とを覆うことができて、電気的操作装置１０全体を保持体１３０の内部に収納できるようになっている。以下の説明では、前述した保持体３０に設けられているものと機能等が同じものには同じ符号を用いる。
【０１０８】
前記実施形態の保持体３０は、住宅の窓用シャッター装置を操作するために用いられる電気的操作装置１０を住宅の室内の壁７７に配設するためのものであったが、図２１〜図２３図の保持体１３０で保持される電気的操作装置１０は、車庫用シャッター装置を操作するために用いられるものとなっており、このため、図２１〜図２３の保持体１３０は、この電気的操作装置１０を車庫の壁等に配設するためのものとなっている。この保持体１３０は、ベース体１３０Ａの上端に蓋体１３０Ｂをヒンジ１３０Ｃにより回動可能、言い換えると、蓋体１３０Ｂをヒンジ１３０Ｃを中心に開閉可能に取り付けたものである。
【０１０９】
図２１に示されているように、保持体１３０のベース体１３０Ａには、図５〜図７の保持体３０で説明したように、保持体１３０を、相手部材となっている車庫の壁等に止着するために用いられる複数種類の止着具、すなわち、ビスとピンに対し適用可能となっている複数種類の止着具適用箇所５０，５１が設けられている。また、ベース体１３０Ａには、電気的操作装置１０の裏面に設けられている前述の被係止部３４と共に、電気的操作装置１０をベース体１３０Ａに対して係脱可能とするための係脱手段３２を構成している係止部３３が設けられている。このため、電気的操作装置１０は、保持体１３０のベース体１３０Ａに係脱手段３２により係脱可能に保持され、これにより、電気的操作装置１０は、ベース体１３０Ａから取り外し可能となっている。
【０１１０】
図２２には、ベース体１３０Ａに電気的操作装置１０を係脱手段３２により保持させた状態が示されている。
【０１１１】
また、図２１に示されているように、ベース体１３０Ａには、電気的操作装置１０に設けられている前述の蓋部材２３を開放したときに、頭部が露出する図３のビス２２の軸部の先端を螺入させることができるナット３１が埋設されているため、前述の結合手段２０となっているこのビス２２により、電気的操作装置１０を保持体１３０のベース体１３０Ａに取り外し不能に保持させることができる。
【０１１２】
図２３は、保持体１３０を、電気的操作装置１０が配設されるべき相手部材となっている車庫の室内の壁１７７に取り付けたときを示している。この壁１７７には、図１０で示した壁７７と同様に、既設の有線式の電気的操作装置が配設されており、この有線式の電気的操作装置が取り外された後に、図２３では、無線式の電気的操作装置１０を保持体１３０を介して壁１７７に配設するようにしているため、壁１７７にフランジ部７８Ａと押圧部材８０との挟着作用により固定されているボックス状部材７８をそのまま残し、このボックス状部材７８を利用して、保持体１３０を壁１７７に取り付けている。すなわち、保持体１３０のベース体１３０Ａに設けられている上述の複数種類の止着具適用箇所５０，５１のうち、ビス８２の軸部が挿通される箇所となっている止着具適用箇所５０にビス８２の軸部を挿通し、この軸部を、ボックス状部材７８のナット８１に螺入することにより、ベース体１３０Ａは、ボックス状部材７８を介して壁１７７に取り付けられている。
【０１１３】
このベース体１３０Ａは、電気的操作装置１０と、この電気的操作装置１０が配設されるべき相手部材となっている壁１７７との間に配置された保持体１３０の部分となっており、上述のビス２２は、電気的操作装置１０に挿入されて保持体１３０のベース体１３０Ａまで達することにより電気的操作装置１０とベース体１３０Ａとを結合するための結合具となっている。
【０１１４】
そして、この保持体１３０の実施形態でも、壁１７７へのベース体１３０Ａの取り付けは、止着具適用箇所５０，５１のうち、ピン１２０の軸部が挿通される箇所となっている止着具適用箇所５１にピン１２０の軸部を挿通することにより、ピン１２０によっても行うことができる。
【０１１５】
図２１に示されているように、ベース体１３０Ａには、図４で説明した電気的操作装置１０の小開口部１８の位置と一致する位置において、孔１４１が形成されているとともに、この孔１４１からベース体１３０Ａの左右両端縁部まで２本の溝１４２が形成されている。電気的操作装置１０の小開口部１８は、前述したように、電気的操作装置１０のスイッチ１１〜１３が操作されたときに、電気的操作装置１０の内部に配置されている電気的音発生手段から発生する音を電気的操作装置１０の外部に放出させるためのものであるため、小開口部１８が、塵埃等のことを考慮して電気的操作装置１０の表面ではなく、電気的操作装置１０の裏面に設けられていても、保持体１３０の蓋体１３０Ｂが開放されているときに電気的音発生手段から発生する音を、孔１４１と溝１４２を介してベース体１３０Ａの外縁部まで導いて放出させることができ、これにより、上記音を、電気的操作装置１０を操作した者等に一層確実に認識させることができる。
【０１１６】
また、図２１から分かるように、それぞれの溝１４２の幅寸法は、この溝１４２が孔１４１からベース体１３０Ａの左右の端縁部へ向かって延びるにしたがい次第に拡大しているため、ベース体１３０Ａの外縁部まで導かれて放出される上記音の大きさを大きくすることができる。
【０１１７】
さらに、孔１４１によると、前記実施形態の保持体３０の図５〜図７で示した孔４１と同様に、電気的操作装置１０の内部に配置されている電気的音発生手段から発生する音を車庫の室内の壁１７７と外壁との間の隙間に放出させることができ、これにより、電気的操作装置１０を操作した者にこの音を認識させることができる。
【０１１８】
なお、孔１４１と溝１４２のうち、一方だけをベース体１３０Ａに設けてもよく、ベース体１３０Ａに溝１４２だけを設ける場合には、溝１４２を孔１４１が含まれる長さとする。
【０１１９】
図２３の二点鎖線１３０Ｂ’は、保持体１３０のベース体１３０Ａに電気的操作装置１０を係脱手段３２で保持させているときに、蓋体１３０Ｂをヒンジ１３０Ｃを中心に回動させて閉じさせている状態を示している。保持体１３０がこのような状態になったときには、電気的操作装置１０の全体は、ベース体１３０Ａと蓋体１３０Ｂとで覆われて保持体１３０の内部に収納された状態になるため、住宅の室内と異なり、外気等に晒される可能性が大きい車庫の壁等に電気的操作装置１０を配設しても、この電気的操作装置１０を外気や塵埃等から有効に保護することができる。
【０１２０】
また、本実施形態に係る保持体１３０の蓋体１３０Ｂの外面側には、図２３に示されているように、図示しないキーにより回動操作される回動部材１４３が設けられ、図２１及び図２２に示されているように、蓋体１３０Ｂの内面側には、軸１４４により回動部材１４３と連結されていて、回動部材１４３と一体に回動する係止片１４５が設けられている。また、蓋体１３０Ｂが閉じられたときにこの係止片１４５の箇所と対応するベース体１３０Ａの内部箇所には、上面が塞ぎ部１４６Ａで塞がれていて、前述のナット３１側の面が開口している係止凹部１４６が設けられている。
【０１２１】
このため、ベース体１３０Ａに電気的操作装置１０が係脱手段３２で保持されているときに、蓋体１３０Ｂをヒンジ１３０Ｃを中心に回動させて閉じさせ、上記キーにより回動部材１４３と係止片１４５とを軸１４４を中心に回動させることにより、係止片１４５の先端部は、係止凹部１４６の内部に挿入係止し、これにより、蓋体１３０Ｂは開放不能となる。
【０１２２】
このため、この実施形態の保持体１３０は、回動部材１４３や係止片１４５、係止凹部１４６により構成されていて、閉じられたときの蓋体１３０Ｂをベース体１３０Ａに対して施錠することができる施錠装置１４７を備えていることになり、この施錠装置１４７により、上記キーを持つ者だけが、蓋体１３０Ｂを開放させることができて、保持体１３０に保持されている電気的操作装置１０を操作できるようになっている。
【０１２３】
また、保持体１３０のヒンジ１３０Ｃには、蓋体１３０Ｂを開放したときに、この開放状態を維持させることができるクリック機構等が設けられており、これにより、図２３の実線で示すように、電気的操作装置１０を操作するために、蓋体１３０Ｂをヒンジ１３０Ｃを中心に上側へ開放させたときに、上記クリック機構等による蓋体開放維持手段により、蓋体１３０Ｂの開放状態を維持することができる。
【０１２４】
なお、上記蓋体開放維持手段は、ヒンジ１３０Ｃに生ずる摩擦力でもよい。
【０１２５】
また、この実施形態の保持体１３０によると、ベース体１３０Ａに対して蓋体１３０Ｂを閉じたときには、ビス２２を隠すための蓋部材２３と、電気的操作装置１０のスイッチ１１〜１３とを蓋体１３０Ｂにより覆うことができるため、電気的操作装置１０を操作すべき者以外の者が、ビス２２を隠している蓋部材２３を取り外したり、電気的操作装置１０のスイッチ１１〜１３を押し操作したりすることを防止することができる。
【０１２６】
また、保持体１３０は、蓋体１３０Ｂを開放不能とするための施錠装置１４７付きのものとなっているため、電気的操作装置１０を操作すべき者以外の者がビス２２を隠している蓋部材２３を取り外したりすることを一層有効に防止できる。
【０１２７】
また、この保持体１３０については、電気的操作装置１０と保持体１３０を工場等から車庫シャッター装置の施工現場等へ搬送する際に、電気的操作装置１０を保持体１３０のベース体１３０Ａに係脱手段３２により保持させた後に、蓋体１３０Ｂを閉じると、電気的操作装置１０の全体が保持体１３０の内部に収納されるため、電気的操作装置１０のスイッチ１１〜１３が外力等により誤って押されてしまうことを防止できる。
【０１２８】
また、上記搬送時における電気的操作装置１０と保持体１３０は、電気的操作装置１０の全体が、ベース体１３０Ａに対して蓋体１３０Ｂが閉じられた保持体１３０の内部に収納されることにより、コンパクトのまとめられて組み合せられるため、これらの電気的操作装置１０と保持体１３０を、例えば、車庫用シャッター装置の構成部品と共に同じ箱に梱包して、工場等から車庫用シャッター装置の施工現場等であって、電気的操作装置１０と保持体１３０が設置される施工現場等まで搬送する際に、前記実施形態と同様に、この箱に多くの部品を収納することができることになり、このため、搬送コストを削減できる。
【０１２９】
そして、上記搬送時における保持体１３０の内部への電気的操作装置１０の収納は、電気的操作装置１０のスイッチ１１〜１３が蓋体１３０Ｂ側に向いて行われ、そして、スイッチ１１〜１３と蓋体１３０Ｂとの間には間隔があいているため、スイッチ１１〜１３が保持体１３０の構成要素となっている蓋体１３０Ｂによって押されることはなく、したがって、スイッチ１１〜１３が保持体１３０からの影響を受けることはなく、このため、上記の搬送時に、電気的操作装置１０の内部に前述した電気的音発生手段の電源となっている電池が収納されていても、電気的音発生手段からブザー音等の音が発生することをなくすことができる。
【０１３０】
また、保持体１３０の内部への電気的操作装置１０の収納は、電気的操作装置１０の裏面に設けられている被係止部３４とベース体１３０Ａの表面に設けられている係止部３３とによる係脱手段３２により、電気的操作装置１０を保持体１３０に保持させて行うことができるため、電気的操作装置１０と保持体１３０を組み合せて行う上記の搬送時において、これらの電気的操作装置１０と保持体１３０に位置関係のずれが生ずることを抑制できる。
【０１３１】
なお、電気的操作装置１０及び保持体１３０は、車庫用シャッター装置だけではなく、例えば、店舗の出入口を開閉するための軽量シャッター装置のためにも用いることができ、図５〜図７で示した保持体３０についても同じである。
【０１３２】
また、以上説明したそれぞれの実施形態において、保持体３０，１３０に設けられている複数個の係止部３３と、電気的操作装置１０の裏面に設けられている複数個の被係止部３４とからなる係脱手段３２について、電気的操作装置１０を上下逆とした場合に、全部の係止部３３の前述の覆い部３８のうち、少なくとも一部の係止部３３の覆い部３８を、被係止部３４の主部３９の内部に挿入することができない構成としてもよい。このような構成は、例えば、個数がそれぞれ上下左右の４個となっている係止部３３及び被係止部３４のうち、それぞれ上側の２個の係止部３３及び被係止部３４の左右間隔と、それぞれ下側の２個の係止部３３及び被係止部３４の左右間隔とを異ならせることにより、実現することができる。
【０１３３】
これにより、電気的操作装置１０が、本来の上下の向きになっているときに、この電気的操作装置１０を保持体３０，１３０に係脱手段３２により保持させることができるようになり、電気的操作装置１０が上下逆となって保持体３０．１３０に保持されることを防止できる。
【０１３４】
以上説明したそれぞれの実施形態における電気的操作装置１０は、前述した「開」スイッチ１１と、「停」スイッチ１２と、「閉」スイッチ１３とが上下方向に並設されているものであったが、この電気的操作装置を、例えば、これらのスイッチと、現在の時刻やシャッターカーテンの開閉時刻を液晶で表示するための表示画面とを備えたものとしてもよい。
【０１３５】
また、操作機能や表示事項等が異なる複数の電気的操作装置を用意しておき、シャッター装置の用途等に応じて、電気的操作装置を操作する者が用いる電気的操作装置を選択できるようにしてもよい。そして、このようにする場合には、それぞれの電気的操作装置について、前述した保持体３０と保持体１３０のうち、どちらの保持体も用いることができるにするために、これらの電気的操作装置に、係脱手段３２のための図４の被係止部３４を共通して設けることが好ましい。
【０１３６】
さらに、操作機能や表示事項等が異なる複数の電気的操作装置について、用意しなければならない部材種類を削減できるようにするために、それぞれの内部に電気基板等が収納されるこれらの電気的操作装置のケースを共通化してもよい。
【産業上の利用可能性】
【０１３７】
本発明は、例えば、窓用シャッター装置や車庫用シャッター装置等を電気的に操作する電気的操作装置と、この電気的操作装置が配設される壁等の相手部材に配置され、電気的操作装置を保持するための保持体とを、組み合せて搬送等するために利用することができる。
【符号の説明】
【０１３８】
１０  電気的操作装置
１１〜１３  スイッチ
３０，１３０  保持体
３２  係脱手段
３３  突起部である係止部
３４  被係止部
７７，１７７  相手部材である壁
１３０Ａ  ベース体
１３０Ｂ  蓋体
【図１】
0006571975.tif 000002
【図２】
0006571975.tif 000003
【図３】
0006571975.tif 000004
【図４】
0006571975.tif 000005
【図５】
0006571975.tif 000006
【図６】
0006571975.tif 000007
【図７】
0006571975.tif 000008
【図８】
0006571975.tif 000009
【図９】
0006571975.tif 000010
【図１０】
0006571975.tif 000011
【図１１】
0006571975.tif 000012
【図１２】
0006571975.tif 000013
【図１３】
0006571975.tif 000014
【図１４】
0006571975.tif 000015
【図１５】
0006571975.tif 000016
【図１６】
0006571975.tif 000017
【図１７】
0006571975.tif 000018
【図１８】
0006571975.tif 000019
【図１９】
0006571975.tif 000020
【図２０】
0006571975.tif 000021
【図２１】
0006571975.tif 000022
【図２２】
0006571975.tif 000023
【図２３】
0006571975.tif 000024